(57)【要約】【課題】  ジョブ処理を一時停止するか否かをユーザに応じて設定することができる画像形成装置を提供する。【解決手段】  トレイセンサ６１は、印刷された用紙を排出する排出トレイ上のユーザによる用紙の抜き取り作業を検知し、一時停止設定部１２は、トレイセンサ６１によって抜き取り作業が検知された場合にジョブ処理を一時停止するか否かを設定し、ジョブ停止部１３は、一時停止設定部１２によって一時停止すると設定されており、かつトレイセンサ６１によって抜き取り作業が検知された場合にジョブ処理を一時停止する。【選択図】      図２
2006184713.tif 000002
【特許請求の範囲】
【請求項１】
印刷された用紙を排出する排出トレイと、
ユーザによる前記排出トレイ上の用紙の抜き取り作業を検知する検知手段と、
前記検知手段によって抜き取り作業が検知された場合にジョブを一時停止するか否かを設定する設定手段と、
前記設定手段によって一時停止すると設定されており、かつ前記検知手段によって抜き取り作業が検知された場合にジョブを一時停止する一時停止手段とを備えることを特徴とする画像形成装置。
【請求項２】
前記設定手段は、前記検知手段によって抜き取り作業が検知された場合にジョブを一時停止するか否かを切り替える切替ボタンを有することを特徴とする請求項１記載の画像形成装置。
【請求項３】
前記設定手段によってジョブを一時停止する設定がなされていることを報知する報知手段をさらに備えることを特徴とする請求項１又は２記載の画像形成装置。
【請求項４】
前記検知手段によって抜き取り作業が検知された場合にジョブを一時停止するか否かを予め初期設定する初期設定手段をさらに備え、
前記設定手段は、前記初期設定手段によって設定された初期設定に応じて、検知手段によって抜き取り作業が検知された場合にジョブを一時停止するか否かを設定することを特徴とする請求項１〜３のいずれかに記載の画像形成装置。
【請求項５】
前記設定手段は、前記検知手段によって抜き取り作業が検知された場合にジョブを一時停止するか否かをユーザが印刷する度に設定することを特徴とする請求項１〜３のいずれかに記載の画像形成装置。
【請求項６】
ユーザを特定するための特定情報と、前記検知手段によって抜き取り作業が検知された場合にジョブを一時停止するか否かとを対応付けたテーブルデータを記憶する記憶手段と、
ユーザを特定するための特定情報を発信する発信装置が所定の範囲以内に近づいた場合、当該特定情報を受信する受信手段とをさらに備え、
前記設定手段は、前記受信手段によって受信された特定情報に基づいて前記記憶手段に記憶されているテーブルデータを参照し、前記検知手段によって抜き取り作業が検知された場合にジョブを一時停止するか否かを設定することを特徴とする請求項１記載の画像形成装置。
【請求項７】
前記設定手段は、前記一時停止手段によってジョブが一時停止されており、かつ前記受信手段によって前記特定情報が受信されなくなった場合、前記検知手段によって抜き取り作業が検知された場合にジョブを一時停止する設定を解除することを特徴とする請求項６記載の画像形成装置。
【発明の詳細な説明】
【技術分野】
【０００１】
本発明は、複写機、ファクシミリ装置やプリンタ等の画像形成装置に関するものである。
【背景技術】
【０００２】
従来、画像形成装置において、排出用紙を排出トレイから取り出そうとする時に次のジョブが始まった場合、ユーザが排出用紙を取り出しているにもかかわらず、排出用紙が急に排出されてしまう虞があった。
【０００３】
そこで、ユーザによる排出用紙の抜き取り作業を検知するセンサを排出トレイに設け、用紙排出動作中に排出用紙の抜き取り作業が行われた場合、用紙排出動作を一時停止する画像形成装置が知られている（例えば、特許文献１参照）。
【特許文献１】特開２００４−２１９９４１号公報
【発明の開示】
【発明が解決しようとする課題】
【０００４】
しかしながら、上記特許文献１の画像形成装置では、ユーザが用紙排出動作中に排出用紙の抜き取り作業を行う度に用紙排出動作が一時停止してしまう。そのため、このような機能は、用紙排出動作中の一時停止を望まないユーザにとって煩わしいものであった。
【０００５】
本発明は、上記の問題を解決するためになされたもので、ジョブ処理を一時停止するか否かをユーザに応じて設定することができる画像形成装置を提供することを目的とするものである。
【課題を解決するための手段】
【０００６】
本発明に係る画像形成装置は、印刷された用紙を排出する排出トレイと、ユーザによる前記排出トレイ上の用紙の抜き取り作業を検知する検知手段と、前記検知手段によって抜き取り作業が検知された場合にジョブを一時停止するか否かを設定する設定手段と、前記設定手段によって一時停止すると設定されており、かつ前記検知手段によって抜き取り作業が検知された場合にジョブを一時停止する一時停止手段とを備える。
【０００７】
この構成によれば、設定手段によって、検知手段により抜き取り作業が検知された場合にジョブを一時停止するか否かが設定され、一時停止手段によって、設定手段により一時停止すると設定されており、かつ検知手段により抜き取り作業が検知された場合にジョブが一時停止される。このように、ジョブ処理を一時停止するか否かをユーザに応じて設定することができる。したがって、ジョブの一時停止を望むユーザにとっては、検知手段により抜き取り作業が検知された場合にジョブが一時停止されるので、安全に利用することができる。また、ジョブの一時停止を望まないユーザにとっては、検知手段により抜き取り作業が検知された場合にジョブが一時停止されないので、用紙を抜き取るたびにジョブが中断する煩わしさを解消することができる。
【０００８】
また、上記の画像形成装置において、前記設定手段は、前記検知手段によって抜き取り作業が検知された場合にジョブを一時停止するか否かを切り替える切替ボタンを有することが好ましい。
【０００９】
この構成によれば、検知手段によって抜き取り作業が検知された場合にジョブを一時停止するか否かが切替ボタンによって切り替えられるので、切替ボタンを押下するという簡単な操作により、検知手段によって抜き取り作業が検知された場合にジョブを一時停止するか否かを設定することができる。
【００１０】
また、上記の画像形成装置において、前記設定手段によってジョブを一時停止する設定がなされていることを報知する報知手段をさらに備えることが好ましい。この構成によれば、報知手段によって、設定手段によってジョブを一時停止する設定がなされていることが報知されるので、ユーザは報知手段により現在の設定状態を確認することができる。
【００１１】
また、上記の画像形成装置において、前記検知手段によって抜き取り作業が検知された場合にジョブを一時停止するか否かを予め初期設定する初期設定手段をさらに備え、前記設定手段は、前記初期設定手段によって設定された初期設定に応じて、検知手段によって抜き取り作業が検知された場合にジョブを一時停止するか否かを設定することが好ましい。
【００１２】
この構成によれば、検知手段によって抜き取り作業が検知された場合にジョブを一時停止するか否かが予め初期設定され、初期設定に応じて、検知手段によって抜き取り作業が検知された場合にジョブを一時停止するか否かが設定される。したがって、ジョブの一時停止を望まないユーザが主に使用する場合、初期設定として予め設定しておくことにより、印刷する度に設定を変更する煩わしさを解消することができる。
【００１３】
また、上記の画像形成装置において、前記設定手段は、前記検知手段によって抜き取り作業が検知された場合にジョブを一時停止するか否かをユーザが印刷する度に設定することが好ましい。
【００１４】
この構成によれば、検知手段によって抜き取り作業が検知された場合にジョブを一時停止するか否かが、ユーザが印刷する度に設定されるので、ジョブの一時停止を望むユーザと、ジョブの一時停止を望まないユーザとが画像形成装置を共用する場合、それぞれのユーザが印刷する度に設定を変更でき、ユーザに応じた利便性を向上させることができる。
【００１５】
また、上記の画像形成装置において、ユーザを特定するための特定情報と、前記検知手段によって抜き取り作業が検知された場合にジョブを一時停止するか否かとを対応付けたテーブルデータを記憶する記憶手段と、ユーザを特定するための特定情報を発信する発信装置が所定の範囲以内に近づいた場合、当該特定情報を受信する受信手段とをさらに備え、前記設定手段は、前記受信手段によって受信された特定情報に基づいて前記記憶手段に記憶されているテーブルデータを参照し、前記検知手段によって抜き取り作業が検知された場合にジョブを一時停止するか否かを設定することが好ましい。
【００１６】
この構成によれば、ユーザを特定するための特定情報を発信する発信装置を所持するユーザが近づくことで、特定情報に応じて設定が変更されるので、印刷する前に設定を行う煩わしい操作を不要とすることができる。
【００１７】
また、上記の画像形成装置において、前記設定手段は、前記一時停止手段によってジョブが一時停止されており、かつ前記受信手段によって前記特定情報が受信されなくなった場合、前記検知手段によって抜き取り作業が検知された場合にジョブを一時停止する設定を解除することが好ましい。
【００１８】
この構成によれば、ジョブが一時停止されており、かつ特定情報が受信されなくなった場合、検知手段によって抜き取り作業が検知された場合にジョブを一時停止する設定が解除されるので、発信装置を所持するユーザが近づいたときのみ、ジョブを一時停止する設定に変更することができる。
【発明の効果】
【００１９】
本発明によれば、ジョブ処理を一時停止するか否かをユーザに応じて設定することができる。したがって、ジョブの一時停止を望むユーザにとっては、検知手段により抜き取り作業が検知された場合にジョブが一時停止されるので、安全に利用することができる。また、ジョブの一時停止を望まないユーザにとっては、検知手段により抜き取り作業が検知された場合にジョブが一時停止されないので、用紙を抜き取るたびにジョブが中断する煩わしさを解消することができる。
【発明を実施するための最良の形態】
【００２０】
以下、本発明に係る実施形態を図面に基づいて説明する。
【００２１】
（第１の実施形態）
図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものである。複合機１は、記録部１００を備えた本体部２と、この本体部２の上部に設置された原稿押えを兼用する原稿送り機構３及び原稿読取部４と、本体部２の下部に設置された給紙部５と、本体部２の一側辺部に設置されたフィニッシャ６とからなる。
【００２２】
原稿送り機構３は、原稿載置部３０１と、搬入ローラ対等を備えた搬入駆動部３０２と、搬送ローラ対３０３と、排出ローラ対３０４と、排紙台３０５と、原稿の有無を検出する原稿検出スイッチ３０６とを備え、原稿載置部３０１に載置された原稿を自動的に一枚ずつコンタクトガラス４０２に接触させつつ搬送し、原稿の露光走査後に排紙台３０５に排出するものである。
【００２３】
原稿読取部４は、光学的に取得した原稿の画像から画像データを生成するスキャナ部（図略）等からなり、その上面にコンタクトガラス４０１とコンタクトガラス４０２とを備える。そして、原稿読取部４は、コンタクトガラス４０１上に載置された原稿、あるいは原稿送り機構３によってコンタクトガラス４０２に接するようにして搬送される原稿から得られた画像データをスキャナ部で読み取って、後述する制御部に出力する。
【００２４】
複合機１のフロント部には、操作部４１が設けられている。この操作部４１には、ユーザが印刷実行指示を入力するためのスタートキー４１１と、印刷部数等を入力するためのテンキー４１２と、各種複写動作の操作ガイド情報等を表示し、これら各種設定入力用にタッチパネル機能を有する液晶ディスプレイ等からなる表示部４１３と、表示部４１３で設定された設定内容等をリセットするリセットキー４１４と、実行中の印刷（画像形成）動作を停止させるためのストップキー４１５と、コピー機能、プリンタ機能、スキャナ機能及びファクシミリ機能を切り換えるための機能切換キー４１６が備えられている。
【００２５】
給紙部５は、サイズ、縦横向きの種類毎の用紙が収納される給紙カセット５０１，５０２及び手差し給紙部５０３を備える。また、給紙部５は、給紙カセット５０１，５０２から記録部１００へ用紙を搬送する搬送路５０４と、手差し給紙部５０３から記録部１００へ用紙を搬送する搬送路５０５とを備える。各給紙カセット５０１，５０２および手差し給紙部５０３は、収納されている用紙（記録紙）を取り出すためのピックアップローラ５０６，５０７，５０８と、用紙を１枚ずつ搬送路に送り出す給紙ローラ対５０９，５１０，５１１とを備える。
【００２６】
搬送路５０４は、用紙を搬送する搬送ローラ対５１２，５１３と、記録部１００の手前で搬送されてくる用紙を所定位置に待機させるためのレジストローラ対５１４とを備える。また、搬送路５０５は、レジストローラ対５１４の上流側で搬送路５０４と合流している。
【００２７】
記録部１００は、回転可能に支持されたドラム状の感光体１０１と、この感光体１０１の周囲に配設された帯電部１０２と、現像部１０３と、クリーニング部１０４と、レーザ走査ユニット１０５と、転写ローラ１０６と、定着ローラ対１０７とを備えている。帯電部１０２は、感光体１０１の表面を所定電位に均一に帯電させるものである。レーザ走査ユニット１０５は、制御部１０（図２）から送信された画像データに基づきレーザビームを感光体１０１の表面に照射し、感光体１０１表面に静電潜像を形成するものである。
【００２８】
また、現像部１０３は、静電潜像にトナーを付着させて画像を顕在化させるものであり、転写ローラ１０６は、顕在化したトナー像を用紙に転写するものであり、定着ローラ対１０７は、用紙に転写されたトナー像を定着させるものである。また、クリーニング部１０４は、画像転写後に感光体１０１の表面に残留しているトナーを清掃するものである。
【００２９】
また、本体部２の上部には、フェイスダウントレイ１０８が設けられ、定着ローラ対１０７から搬送されてきた用紙が、排出ローラ対１０９により搬送され、フェイスダウントレイ１０８に排出される。また、排出ローラ対１１０は、定着ローラ対１０７から搬送されてきた用紙をフィニッシャ６に排出するもので、制御部１０からの制御信号に応じて駆動される排出分岐ガイド１１１により、用紙の排出方向を排出ローラ対１０９側と排出ローラ対１１０側とに切り換え可能になっている。
【００３０】
また、記録紙の両面に画像を形成する場合は、記録部１００で記録紙の一方の面に画像を形成した後、この記録紙を排出ローラ対１０９にニップされた状態とする。この状態で排出ローラ対１０９を反転させて記録紙をスイッチバックさせ、記録紙を用紙搬送路Ｌに送って記録部１００の上流域に再度搬送し、記録部１００により他方の面に画像を形成した後、記録紙をフェイスダウントレイ１０８に排出、又はフィニッシャ６に搬送する。
【００３１】
次に、フィニッシャ６について説明する。フィニッシャ６は、上記本体部２の排出ローラ対１１０から搬入されてきた用紙に対して、後処理としてパンチ処理やステイプル処理を行うものである。フィニッシャ６には、後処理済みの用紙が排出される複数のビンからなるメールボックス６２２と、その下に配設されたサブトレイ６２３と、さらにその下に配設された用紙載置容量の最も大きいメイントレイ６２４とが備えられている。
【００３２】
フィニッシャ６の内部には、ステイプル処理やブック綴じ用の中折処理等を行う中間トレイ６５０（図１では、構成の詳細を省略して位置のみを示す）が設けられている。上記メールボックス６２２、サブトレイ６２３及びメイントレイ６２４は、この中間トレイでの後処理を終えた後の用紙が排出される。メールボックス６２２及びサブトレイ６２３へは、本体部２の排出ローラ対１１０から搬送されてきた用紙を、中間トレイ６５０を通さずに排出することも可能である。メイントレイ６２４には、本体部２の排出ローラ対１１０から搬送されてきた用紙を、中間トレイ６５０を通る経路を経なければ排出できないようになっている。また、本体部２上部のフェイスダウントレイ１０８には、フィニッシャ６を通さずに、記録部１００での記録を終えた用紙が排出される。
【００３３】
また、フィニッシャ６の側面のメイントレイ６２４上部には、検知手段の一例に相当するトレイセンサ６１が設けられている。トレイセンサ６１は、例えば、赤外光を照射する発光部と、ユーザの手によって反射した赤外光を受光する受光部とで構成される。トレイセンサ６１は、ユーザの手によって反射された赤外光を受光部に受光されることによって、ユーザによるメイントレイ６２４上の用紙の抜き取り作業を検知する。例えば、メイントレイ６２４に排出中の記録用紙をユーザが抜き取ろうとした場合、ユーザの手をトレイセンサ６１によって検出することができる。
【００３４】
図２は、第１の実施形態における複合機１の概略構成を示す機能ブロック図である。なお、図２において、図１と同じ構成については同じ符号を付し、詳細な説明は省略する。
【００３５】
図２に示す複合機１には、装置全体の動作制御を司る制御部１０を備えて構成される。この制御部１０には、露光ランプ及びＣＣＤ等からなる原稿画像の読み取りが可能なスキャナ部４０と、記録部１００とが接続されている。また、制御部１０には、スキャナ部４０で読み取られた文書データが一時的に保存される等の作業領域として使用される画像メモリ７１と、大量の文書データを保存可能な記憶容量を有する大容量のＨＤＤ（内部記憶装置）７２とが接続されている。
【００３６】
画像処理部７３は、スキャナ部４０による原稿読み取り時には、スキャナ部４０から出力されるアナログ画像信号をデジタル画像に変換し、画質を向上させる画像処理を施した後、圧縮画像に変換する。この圧縮画像は画像メモリ７１に書き込まれる。制御部１０は、画像メモリ７１に書き込まれた圧縮画像を、文書管理の対象となるファイルデータとしてＨＤＤ７２に格納する。また、登録文書のプリントアウト時には、ＨＤＤ７２又はネットワーク上の各コンピュータから、プリントアウト対象のファイルデータ（圧縮画像）が画像メモリ７１に書き出され、画像処理部７３は、当該圧縮されたファイルデータを伸張処理し、出力状態に応じた画像処理を施し、例えばレーザ露光の場合には、レーザ信号にアナログ変調する。このアナログ変調された信号に基づいて記録部１００でプリントアウトが行われる。
【００３７】
また、制御部１０は、複合機１が実行可能な各機能を制御するスキャナコントローラ、ファクシミリコントローラ、プリンタコントローラ、コピーコントローラ及びネットワークコントローラを備える。
【００３８】
スキャナコントローラは、スキャナ部４０の動作に必要な各部の動作制御を行うものである。ファクシミリコントローラは、ファクシミリ動作に必要な各部の動作制御を行うものであり、ファクシミリ通信に必要なデータの調整を行うファクシミリ通信部（不図示）を制御する。ファクシミリ通信部には、データ送受信相手である相手先ファクシミリとの電話回線の接続を制御するＮＣＵ（Network Control Unit）が備えられている。コピーコントローラは、コピー動作に必要な各部の動作制御を行うものである。プリンタコントローラは、プリンタ動作に必要な各部の動作制御を行うものである。
【００３９】
ネットワークコントローラは、本複合機１とネットワーク上のコンピュータ等との間で行われるデータ送受信を制御するものである。ネットワークコントローラは、ネットワークＩ／Ｆ部（不図示）を介して外部とデータを送受信させる。
【００４０】
また、操作者から各種の操作指示が入力される操作部４１が複合機１に備えられており、この操作部４１も制御部１０によって制御される。操作キー部４１０は、操作者によって印刷実行指示が入力されるスタートキーや、印刷部数等を入力するためのテンキー等からなる。表示部４１３は、各種複写動作の操作ガイド情報等を表示し、各種設定入力用にタッチパネル機能を有する液晶ディスプレイ等からなる。
【００４１】
用紙搬送部１５０は、記録部１００の用紙搬送方向下流側の用紙搬送路に設けられた搬送ローラ及びその駆動部等からなり、記録部１００で記録が済んだ用紙を上記各トレイに搬送するものである。
【００４２】
さらに、制御部１０は、初期設定部１１、一時停止設定部１２、ジョブ停止部１３及び表示制御部１４を備えて構成される。
【００４３】
初期設定部１１は、トレイセンサ６１によって抜き取り作業が検知された場合にジョブを一時停止するか否かを予め初期設定する。具体的には、初期設定部１１は、初期設定時において、トレイセンサ６１によって抜き取り作業が検知された場合にジョブを一時停止するか否かを受け付ける設定画面を表示部４１３に表示する。ユーザは、操作キー部４１０又は表示部４１３のタッチパネル機能を用いて、トレイセンサ６１によって抜き取り作業が検知された場合に、実行中のジョブ処理を一時停止するか否かを入力する。そして、初期設定部１１は、ジョブ処理を一時停止するか否かを表す初期設定情報をＨＤＤ７２に記憶する。
【００４４】
この場合、トレイセンサ６１によって抜き取り作業が検知された場合にジョブ処理を一時停止するか否かが予め初期設定され、初期設定に応じて、トレイセンサ６１によって抜き取り作業が検知された場合にジョブ処理を一時停止するか否かが設定される。したがって、ジョブ処理の一時停止を望まないユーザが主に複合機１を使用する場合、初期設定として予め設定しておくことにより、印刷する度に設定を変更する煩わしさを解消することができる。
【００４５】
一時停止設定部１２は、初期設定部１１によって設定された初期設定情報に応じて、トレイセンサ６１によってユーザによる排出トレイ（メイントレイ６２４）上の用紙の抜き取り作業が検知された場合に実行中のジョブ処理を一時停止するか否かを設定する。具体的に、一時停止設定部１２は、ＨＤＤ７２に記憶されている初期設定情報を読み出し、トレイセンサ６１によって用紙の抜き取り作業が検知された場合に実行中のジョブ処理を一時停止するか否かを設定する。一時停止設定部１２は、ジョブ処理を一時停止するか否かを表す一時停止設定情報をＨＤＤ７２に記憶する。
【００４６】
なお、本実施形態では、トレイセンサ６１によって抜き取り作業が検知された場合にジョブ処理を一時停止するか否かを初期設定に応じて設定するとしているが、本発明は特にこれに限定されず、ユーザが印刷する度に設定してもよい。
【００４７】
この場合、トレイセンサ６１によって抜き取り作業が検知された場合にジョブ処理を一時停止するか否かが、ユーザが印刷する度に設定されるので、ジョブ処理の一時停止を望むユーザと、ジョブ処理の一時停止を望まないユーザとが複合機１を共用する場合、それぞれのユーザが印刷する度に設定を変更でき、ユーザに応じた利便性を向上させることができる。
【００４８】
ジョブ停止部１３は、一時停止設定部１２によって一時停止すると設定されており、かつトレイセンサ６１によって抜き取り作業が検知された場合にジョブ処理を一時停止する。具体的に、ジョブ停止部１３は、ジョブ処理の実行中にトレイセンサ６１によって抜き取り作業が検出された場合、ＨＤＤ７２に記憶されている一時停止設定情報を読み出す。そして、ジョブ停止部１３は、ＨＤＤ７２から読み出した一時停止設定情報がジョブ処理を一時停止する情報である場合、ジョブ処理を一時的に停止させる。なお、本実施形態におけるジョブ処理とは、印刷された用紙を排出トレイ（メイントレイ６２４）から排出するジョブ処理であるが、本発明は特にこれに限定されず、例えば、コピー機能、プリンタ機能、スキャナ機能及びファクシミリ機能における様々なジョブ処理に適用可能である。また、ジョブ停止部１３は、トレイセンサ６１によって抜き取り作業が検知されなくなった場合、ジョブ処理の一時停止を解除し、停止前の状態からジョブ処理を再開する。
【００４９】
なお、本実施形態では、トレイセンサ６１によって抜き取り作業が検知されなくなった場合、ジョブ処理の一時停止を解除するとしているが、本発明は特にこれに限定されず、例えば、トレイセンサ６１によって抜き取り作業が検知されなくなってから所定時間経過した場合、ジョブ処理の一時停止を解除してもよい。
【００５０】
表示制御部１４は、一時停止設定部１２によってジョブ処理を一時停止する設定がなされていることを表示部４１３に表示し、ユーザに対して報知する。例えば、表示制御部１４は、一時停止設定部１２によってジョブ処理を一時停止する設定がなされている場合、その旨を表示部４１３に表示する。これにより、現在の設定状態をユーザに対して提示することができ、ユーザは現在の設定状況を知ることができる。
【００５１】
なお、本実施形態では、一時停止設定部１２によってジョブ処理を一時停止する設定がなされていることを表示部４１３に表示することによって、ユーザに報知しているが、本発明は特にこれに限定されず、例えば、ＬＥＤ等の発光素子を複合機１の表面のユーザに見える位置に配置し、一時停止設定部１２によってジョブ処理を一時停止する設定がなされている場合、発光素子を点灯させることによって、一時停止設定部１２によってジョブ処理を一時停止する設定がなされていることをユーザに報知してもよい。また、一時停止設定部１２によってジョブ処理を一時停止する設定がなされている場合、音声や警告音を出力することによって、一時停止設定部１２によってジョブ処理を一時停止する設定がなされていることをユーザに報知してもよい。このように、一時停止設定部１２によってジョブ処理を一時停止する設定がなされていることが報知されるので、ユーザは現在の設定状態を確認することができる。
【００５２】
フィニッシャ６は制御部１０によって制御される。フィニッシャ６では、フィニッシャ制御部６２が制御部１０から受け取った制御信号に従って、フィニッシャ６の各部の動作を制御する。例えば、フィニッシャ制御部６２は、ユーザによって選択されたメールボックス６２２の各々、サブトレイ６２３及びメイントレイ６２４による用紙の排出動作や、ステイプル処理などの後処理動作を制御する。
【００５３】
次に、第１の実施形態における複合機１によるジョブ一時停止処理について説明する。図３は、図２に示す複合機１によるジョブ一時停止処理について説明するためのフローチャートである。
【００５４】
まず、ステップＳ１において、制御部１０は、印刷実行指示が入力されることでジョブ処理を開始する。なお、ここでの印刷実行指示は、ユーザによりスタートキー４１１が押下されることによって入力される。ジョブ処理は、スキャナ部４０によって読み取られた原稿画像を記録用紙に印刷し、印刷した記録用紙をフィニッシャ６のメイントレイ６２４から排出する処理である。なお、印刷実行指示としては、ネットワークを介して接続されたコンピュータからの指示や、受信したファクシミリデータを印刷する指示などがある。
【００５５】
次に、ステップＳ２において、制御部１０は、トレイセンサ６１によって抜き取り作業が検知されたか否かを判断する。ユーザがメイントレイ６２４上に排出された用紙を抜き取ろうとしたとき、トレイセンサ６１の発光部から発光された光がユーザの手によって反射し、反射した光が受光部によって受光される。トレイセンサ６１は、受光部によって光が受光されると、ユーザがメイントレイ６２４上の用紙を抜き取り作業中であることを検知する。そして、トレイセンサ６１は、検知された場合、検知信号を制御部１０へ出力する。ここで、抜き取り作業が検知されたと判断された場合（ステップＳ２でＹＥＳ）、ステップＳ３の処理に移行し、抜き取り作業が検知されていないと判断された場合（ステップＳ２でＮＯ）、ジョブ処理が継続して実行される。
【００５６】
抜き取り作業が検知されたと判断された場合、ステップＳ３において、一時停止設定部１２は、初期設定部１１によって、トレイセンサ６１により抜き取り作業が検知された場合にジョブ処理を一時停止すると初期設定されているか否かを判断する。すなわち、一時停止設定部１２は、ＨＤＤ７２に記憶されている初期設定情報を読み出し、読み出した初期設定情報に基づいて、トレイセンサ６１により抜き取り作業が検知された場合にジョブ処理を一時停止すると初期設定されているか否かを判断する。ここで、抜き取り作業が検知された場合に実行中のジョブ処理を一時停止すると初期設定されていると判断された場合（ステップＳ３でＹＥＳ）、ステップＳ４の処理に移行し、抜き取り作業が検知された場合に実行中のジョブ処理を一時停止しないと初期設定されている場合（ステップＳ３でＮＯ）、ステップＳ８の処理に移行する。
【００５７】
抜き取り作業が検知された場合に実行中のジョブ処理を一時停止すると初期設定されていると判断された場合、ステップＳ４において、一時停止設定部１２は、トレイセンサ６１により抜き取り作業が検知された場合にジョブ処理を一時停止すると設定する。
【００５８】
次に、ステップＳ５において、ジョブ停止部１３は、実行中のジョブ処理を一時的に停止する。すなわち、ジョブ停止部１３は、メイントレイ６２４に用紙を排出するジョブ処理を停止する。
【００５９】
次に、ステップＳ６において、制御部１０は、ジョブ処理の一時停止を解除するか否かを判断する。すなわち、制御部１０は、トレイセンサ６１による検知信号の出力がある場合、ジョブ処理の一時停止を解除しないと判断し、トレイセンサ６１による検知信号の出力がない場合、ジョブ処理の一時停止を解除すると判断する。ここで、ジョブ処理の一時停止を解除すると判断された場合（ステップＳ６でＹＥＳ）、ステップＳ７の処理に移行し、ジョブ処理の一時停止を解除しないと判断された場合（ステップＳ６でＮＯ）、ステップＳ５の処理に戻る。
【００６０】
ジョブ処理の一時停止を解除すると判断された場合、ステップＳ７において、制御部１０は、ジョブ処理の一時停止を解除し、一時停止していたジョブ処理を再開する。
【００６１】
次に、ステップＳ８において、制御部１０は、ジョブ処理を終了するか否かを判断する。ここで、ジョブ処理を終了すると判断された場合（ステップＳ８でＹＥＳ）、ステップＳ９の処理に移行し、ジョブ処理を終了しないと判断された場合（ステップＳ８でＮＯ）、ステップＳ２の処理に戻る。
【００６２】
ジョブ処理を終了すると判断された場合、ステップＳ９において、制御部１０は、ジョブ処理を終了し、ジョブ一時停止処理を終了する。
【００６３】
このように、一時停止設定部１２によって、トレイセンサ６１により抜き取り作業が検知された場合にジョブ処理を一時停止するか否かが設定され、ジョブ停止部１３によって、一時停止設定部１２により一時停止すると設定されており、かつトレイセンサ６１により抜き取り作業が検知された場合にジョブ処理が一時停止される。そのため、ジョブ処理を一時停止するか否かをユーザに応じて設定することができる。したがって、ジョブ処理の一時停止を望むユーザにとっては、トレイセンサ６１により抜き取り作業が検知された場合にジョブ処理が一時停止されるので、安全に利用することができる。また、ジョブ処理の一時停止を望まないユーザにとっては、トレイセンサ６１により抜き取り作業が検知された場合にジョブ処理が一時停止されないので、近づくたびにジョブ処理が中断する煩わしさを解消することができる。
【００６４】
なお、本実施形態では、フィニッシャ６のメイントレイ６２４における用紙の抜き取り作業を検知しているが、本発明は特にこれに限定されず、例えば、フェイスダウントレイ１０８、メールボックス６２２及びサブトレイ６２３等の他の排出トレイにおける用紙の抜き取り作業を検知してもよい。
【００６５】
また、本実施形態では、ユーザが操作部４１を用いて、トレイセンサ６１によって抜き取り作業が検知された場合にジョブ処理を一時停止するか否かを設定するとしているが、本発明は特にこれに限定されず、トレイセンサ６１によって抜き取り作業が検知された場合にジョブ処理を一時停止するか否かを切り替えるための切替ボタンを設け、切替ボタンの押下によって、設定を切り替えてもよい。
【００６６】
図４は、本発明の変形例における複合機の外観を概略的に示す側面図である。図４に示すように、フィニッシャ６の側面には切替ボタン６３が設けられている。この切替ボタン６３をユーザが押下することによって、トレイセンサ６１によって抜き取り作業が検知された場合にジョブ処理を一時停止するか否かを切り替える。ジョブ処理を一時停止すると設定されている状態で、切替ボタン６３が押下された場合、ジョブ処理を一時停止しないと設定する。また、ジョブ処理を一時停止しないと設定されている状態で、切替ボタン６３が押下された場合、ジョブ処理を一時停止すると設定する。
【００６７】
このように、トレイセンサ６１によって抜き取り作業が検知された場合にジョブ処理を一時停止するか否かが切替ボタン６３によって切り替えられるので、切替ボタン６３を押下するという簡単な操作により、トレイセンサ６１によって抜き取り作業が検知された場合にジョブ処理を一時停止するか否かを設定することができる。
【００６８】
また、特に、複数の排出トレイを有するマルチジョブトレイのように、ジョブ処理に応じて排出トレイが上下方向に移動する機構を画像形成装置が備えている場合、ジョブ処理の実行中にユーザが排出用紙を抜き取る作業を行うとジョブ処理が一時停止されるので、安全性を向上させることができる。
【００６９】
（第２の実施形態）
次に、本発明の第２の実施形態について説明する。第１の実施形態では、ジョブ処理を一時停止するか否かを、初期設定時又は印刷時にユーザが予め設定するものである。これに対し、第２の実施形態では、ユーザ毎にジョブ処理を一時停止するか否かを自動的に設定するものである。
【００７０】
図５は、第２の実施形態における複合機１’の概略構成を示す機能ブロック図である。なお、図５に示す複合機１’において、図２に示す複合機１と同一の構成については同一の符号を付し、説明を省略する。
【００７１】
ＲＦＩＤ（Radio Frequency-Identification）カード８は、無線通信により複合機１’とデータの送信を行う。ＲＦＩＤカード８はユーザによって所持される。ＲＦＩＤカード８は、通信部８１と、ユーザ特定情報記憶部８２とを備えて構成される。ユーザ特定情報記憶部８２は、ユーザを特定するためのユーザ特定情報を記憶している。なお、ユーザ特定情報は、例えば専用のリーダライタにより情報が書き込まれる。通信部８１は、ユーザ特定情報をユーザ特定情報記憶部８２から読み出し、読み出したユーザ特定情報を複合機１’へ送信するものである。
【００７２】
複合機１’は通信部７４をさらに備えて構成される。通信部７４は、所定の範囲以内に近づいた場合、ＲＦＩＤカード８の通信部８１によって送信されたユーザ特定情報を受信する。なお、所定の範囲は、ＲＦＩＤカード８が使用する周波数帯によって異なる。一時停止設定部１２は、ユーザを特定するユーザ特定情報毎に、トレイセンサ６１によって抜き取り作業が検知された場合にジョブ処理を一時停止するか否かを設定する。具体的に、ＨＤＤ７２には、ユーザを特定するユーザ特定情報と、トレイセンサ６１によって抜き取り作業が検知された場合にジョブ処理を一時停止するか否かの設定状態とが対応付けられたテーブルデータが予め記憶されている。一時停止設定部１２は、通信部７４によってユーザ特定情報を受信した場合、テーブルデータを参照し、受信したユーザ特定情報に対応する設定状態に設定する。そして、一時停止設定部１２は、ジョブ処理を一時停止するか否かを表す一時停止設定情報をＨＤＤ７２に記憶する。
【００７３】
また、一時停止設定部１２は、通信部７４によってユーザ特定情報が受信されなくなった場合、トレイセンサ６１によって抜き取り作業が検知された場合にジョブ処理を一時停止する設定を解除する。すなわち、一時停止設定部１２は、通信部７４によってユーザ特定情報が受信されなくなった場合、ＨＤＤ７２に記憶されている一時停止設定情報を、トレイセンサ６１によって抜き取り作業が検知された場合にジョブ処理を一時停止しない設定に変更する。
【００７４】
次に、第２の実施形態における複合機１’によるジョブ一時停止処理について説明する。図６は、図５に示す複合機１’によるジョブ一時停止処理について説明するためのフローチャートである。なお、以下の説明では、ユーザ特定情報がユーザ特定情報記憶部８２に予め記憶されているものとする。
【００７５】
次に、ステップＳ１１において、通信部７４は、ＲＦＩＤカード８を所持したユーザが複合機１’に近づくと、ユーザ特定情報を受信する。制御部１０は、通信部７４によってユーザ特定情報が受信されたか否かを判断する。ここで、ユーザ特定情報が受信されたと判断された場合（ステップＳ１１でＹＥＳ）、ステップＳ１２の処理に移行し、ユーザ特定情報が受信されていないと判断された場合（ステップＳ１１でＮＯ）、ユーザ特定情報が受信されるまで待機状態となる。
【００７６】
ユーザ特定情報が受信されたと判断された場合、ステップＳ１２において、一時停止設定部１２は、通信部７４によって受信されたユーザ特定情報に基づいて、トレイセンサ６１によって抜き取り作業が検知された場合に実行中のジョブ処理を一時停止するか否かを設定する。
【００７７】
ステップＳ１３〜Ｓ２０までの処理は、図３に示すステップＳ１〜Ｓ３，Ｓ５〜Ｓ９までの処理と同じであるので説明を省略する。
【００７８】
ステップＳ２１において、一時停止設定部１２は、ジョブ処理の一時停止設定を解除するか否かを判断する。すなわち、一時停止設定部１２は、通信部７４によってユーザ特定情報が受信されている間はジョブ処理の一時停止設定を解除しないと判断し、通信部７４によってユーザ特定情報が受信されなくなった場合、ジョブ処理の一時停止設定を解除すると判断する。ここで、ジョブ処理の一時停止設定を解除すると判断された場合、すなわち、ユーザが通信部７４の受信範囲以内から離れた場合（ステップＳ２１でＹＥＳ）、ステップＳ２２の処理に移行する。ジョブ処理の一時停止設定を解除しないと判断された場合（ステップＳ２１でＮＯ）、ステップＳ１３の処理に戻る。
【００７９】
ジョブ処理の一時停止設定を解除すると判断された場合、ステップＳ２２において、一時停止設定部１２は、ＨＤＤ７２に一時停止設定情報として記憶されている設定状態を解除し、ジョブ一時停止処理を終了する。
【００８０】
このように、ユーザを特定するためのユーザ特定情報を発信するＲＦＩＤカード８（発信装置の一例に相当する）を所持するユーザが近づくことで、ユーザ特定情報に応じて設定が変更されるので、印刷する前に設定を行う煩わしい操作を不要とすることができる。また、ジョブ処理が一時停止されており、かつ通信部７４によってユーザ特定情報が受信されなくなった場合、トレイセンサ６１によって抜き取り作業が検知された場合にジョブ処理を一時停止する一時停止設定が解除されるので、ＲＦＩＤカード８を所持するユーザが近づいたときのみ、ジョブ処理を一時停止する設定に変更することができる。
【００８１】
なお、本実施形態では、通信部７４によってユーザ特定情報が受信されなくなった場合、ジョブ処理の一時停止設定を解除しているが、本発明は特にこれに限定されず、通信部７４によってユーザ特定情報が受信されなくなってから所定時間経過した後、ジョブ処理の一時停止設定を解除してもよい。
【００８２】
また、本実施形態では、ユーザを特定するためのユーザ特定情報を受信し、受信したユーザ特定情報に応じて、トレイセンサ６１によって抜き取り作業が検知された場合にジョブ処理を一時停止するか否かを設定しているが、本発明は特にこれに限定されず、一時停止設定部１２は、所定の情報を受信した場合、トレイセンサ６１によって抜き取り作業が検知された場合にジョブ処理を一時停止する設定にしてもよい。つまり、ユーザが、ＲＦＩＤカード８を所持しているだけで、トレイセンサ６１によって抜き取り作業が検知された場合にジョブ処理を一時停止する設定にする。この場合、ＲＦＩＤカード８を所持するユーザが近づいただけで、ジョブ処理を一時停止する設定に変更されるという問題が生じる。しかしながら、ジョブ処理の一時停止を望むユーザのみがＲＦＩＤカード８を所持することにより、この問題を解消することができる。
【００８３】
さらに、例えば、静電容量方式のタッチパネルを備え、一時停止設定部１２は、当該タッチパネルにユーザの一方の手が触れると、トレイセンサ６１によって抜き取り作業が検知された場合にジョブ処理を一時停止しないように設定してもよい。また、一時停止設定部１２は、当該タッチパネルにユーザの一方の手が触れると、トレイセンサ６１によって抜き取り作業が検知された場合にジョブ処理を一時停止するように設定してもよい。
【００８４】
さらにまた、一時停止設定部１２は、当該タッチパネルにユーザの一方の手が触れた状態で、トレイセンサ６１によってユーザの他方の手が検知された場合にジョブ処理を一時停止しないように設定してもよい。また、一時停止設定部１２は、当該タッチパネルにユーザの一方の手が触れた状態で、トレイセンサ６１によってユーザの他方の手が検知された場合にジョブ処理を一時停止するように設定してもよい。
【図面の簡単な説明】
【００８５】
【図１】本発明の一実施形態に係る画像形成装置の一例である複合機の内部構成を概略的に示す側面図である。
【図２】第１の実施形態における複合機の概略構成を示す機能ブロック図である。
【図３】図２に示す複合機によるジョブ一時停止処理について説明するためのフローチャートである。
【図４】本発明の変形例における複合機の外観を概略的に示す側面図である。
【図５】第２の実施形態における複合機の概略構成を示す機能ブロック図である。
【図６】図５に示す複合機によるジョブ一時停止処理について説明するためのフローチャートである。
【符号の説明】
【００８６】
１    複合機
６    フィニッシャ
１０    制御部
１１    初期設定部
１２    一時停止設定部
１３    ジョブ停止部
１４    表示制御部
４０    スキャナ部
４１    操作部
６１    トレイセンサ
６２    フィニッシャ制御部
７１    画像メモリ
７２    ＨＤＤ
７３    画像処理部
１００    記録部
１５０    用紙搬送部
４１０    操作キー部
４１３    表示部
【図１】
2006184713.tif 000003
【図２】
2006184713.tif 000004
【図３】
2006184713.tif 000005
【図４】
2006184713.tif 000006
【図５】
2006184713.tif 000007
【図６】
2006184713.tif 000008